(57)【特許請求の範囲】
【請求項１】
法面を覆う金網上に飛来種子捕捉用のアタッチメントを設置する生態系配慮型緑化工法であって、
前記アタッチメントは、複数の線材からなり下向きに突出する差し込み部を櫛の歯状に有する金網部材と、該金網部材における少なくとも前記差し込み部よりも上方の部分を全面にわたって覆うカバー手段とを備え、
前記金網部材は、左右のウイング部の先端を少なくとも法面の等高線方向に互いに離隔させ且つ共に山側に向けた状態で前記金網上に起立配置可能に構成され、また、前記金網部材の下端には、前記差し込み部の他に、前記差し込み部の下端よりも上方に位置し前記金網に係止可能なフック部が形成され、
前記カバー手段として、透水性及び保水性を有するシート状体及び／又は緑化資材を保持する肥料袋が設けられ、
前記金網部材の左右のウイング部の先端が共に山側に向いた状態で前記金網部材が前記金網上に起立するように、前記フック部を前記金網に係止させて前記アタッチメントを前記金網に連結すると共に、前記差し込み部を法面に差し込み、さらに前記アタッチメントを前記金網上に設置した後に、該金網の上側から植生基盤材を吹付けることを特徴とする生態系配慮型緑化工法。
【請求項２】
前記差し込み部の法面に対する差し込み長さは１〜５ｃｍである請求項１に記載の生態系配慮型緑化工法。
【請求項３】
請求項１又は２に記載の生態系配慮型緑化工法により法面に形成されることを特徴とする緑化構造物。
【発明の詳細な説明】
【技術分野】
【０００１】
この発明は、例えば、飛来種子を法面上に定着させるのに適した生態系配慮型緑化工法及び緑化構造物に関する。
【背景技術】
【０００２】
従来、法面緑化は牧草種を主体として行われていたが、近年では生態系保全や生物多様性を重視した緑化が望まれる事が多くなってきている。この様な緑化を実現する工法の一つとして施工地周辺の表土内に含まれる埋土種子を利用する緑化工法がある（例えば、特許文献１参照）。
【先行技術文献】
【特許文献】
【０００３】
【特許文献１】特許第２７５００６６号公報
【発明の概要】
【発明が解決しようとする課題】
【０００４】
しかし、上記緑化工法には、表土における埋土種子の混入量が一定ではないため緑化の確実性があまり高くなく、緑化されるまでに長期間を要し兼ねないなどの改善点が指摘されている。
【０００５】
本発明は上述の事柄に留意してなされたもので、その目的は、多種多様な現地植生の復元を早期かつ確実に実現し得る生態系配慮型緑化工法及び緑化構造物を提供することにある。
【課題を解決するための手段】
【０００６】
上記目的を達成するために、本発明に係る生態系配慮型緑化工法は、法面を覆う金網上に飛来種子捕捉用のアタッチメントを設置する生態系配慮型緑化工法であって、
前記アタッチメントは、複数の線材からなり下向きに突出する差し込み部を櫛の歯状に有する金網部材と、該金網部材における少なくとも前記差し込み部よりも上方の部分を全面にわたって覆うカバー手段とを備え、
前記金網部材は、左右のウイング部の先端を少なくとも法面の等高線方向に互いに離隔させ且つ共に山側に向けた状態で前記金網上に起立配置可能に構成され、また、前記金網部材の下端には、前記差し込み部の他に、前記差し込み部の下端よりも上方に位置し前記金網に係止可能なフック部が形成され、
前記カバー手段として、透水性及び保水性を有するシート状体及び／又は緑化資材を保持する肥料袋が設けられ、
前記金網部材の左右のウイング部の先端が共に山側に向いた状態で前記金網部材が前記金網上に起立するように、前記フック部を前記金網に係止させて前記アタッチメントを前記金網に連結すると共に、前記差し込み部を法面に差し込み、さらに前記アタッチメントを前記金網上に設置した後に、該金網の上側から植生基盤材を吹付ける（請求項１）。
【０００７】
【０００８】
上記生態系配慮型緑化工法において、前記差し込み部の法面に対する差し込み長さは１〜５ｃｍとなるようにしてもよい（請求項２）。
【０００９】
一方、上記目的を達成するために、本発明に係る緑化構造物は、請求項１又は２に記載の生態系配慮型緑化工法により法面に形成されることを特徴とする（請求項３）。
【発明の効果】
【００１０】
請求項１〜３に係る発明では、多種多様な現地植生の復元を早期かつ確実に実現し得る生態系配慮型緑化工法及び緑化構造物が得られる。
【００１１】
すなわち、各請求項に係る発明の緑化工法では、金網部材における少なくとも差し込み部よりも上方の部分をその内側からカバー手段により全面的に覆うので、飛来種子や土粒子をアタッチメントの山側に確実に留めさせる（捕捉する）ことができる。従って、アタッチメントの山側に形成された小段で飛来種子を積極的に利用しての現地植生の復元を図ることができ、捕捉効率が良いので、それだけ多種多様の植生による早期の緑化達成を期待でき、緑化スピードのみならず緑化の確実性の点でも向上を図れる。
【００１２】
しかも、上記緑化工法では、フック部を金網に係止させ、法面に対する差し込み部の差し込みを行う、という極簡単な作業によって、アタッチメントを金網にしっかりと連結することができる。また、フック部による金網への係止を差し込み部よりも山側で行い、かつ、差し込み部を法面に対して略垂直ないし略鉛直に差し込むようにすれば、アタッチメントが植生基盤材や施工後に流れてくる流亡土砂等を受け止めたときに受ける力の一部は差し込み部を法面の土壌中に留める方向あるいは法面へ差し込む方向には働くものの、差し込み部を法面から引き抜く方向には働かず、故に、金網に対するアタッチメントの連結状態を非常に強固に保持することができる。
【００１３】
さらに施工直後からの緑化と、飛来種子を待ち受ける待ち受け型緑化とを併せて行うことができ、吹付ける生育基盤材に表土シードバンクを配合すれば、現地生態系を乱すことのない植物を効率よく生育させることができる。また、埋土種子のみを用いる従来の緑化工法では、吹付ける植生基盤材に表土シードバンクを少なくとも１０％程度配合するのが一般的であるが、本発明では飛来種子をも利用するのでその配合比率を大幅に抑えることができ、採取に多大な労力を必要とする表土シードバンクの使用量の低減はコストダウンにも直結する。
【００１４】
そして、アタッチメントの設置前に植生基盤材を吹き付けると、植生基盤材の層によってアタッチメントの設置が邪魔されたり、設置の際に植生基盤材が踏み固められたり剥落したりする等の支障を来す恐れがあるので、アタッチメントの設置後に吹付けを行う。
【００１５】
加えて、請求項２に係る発明では、法面中への差し込み部の差し込み長さが１〜５ｃｍとなるようにすることにより、多種多様な現地植生の復元を早期かつ確実に実現するという効果をより確実に奏することができる。すなわち、法面への差し込み部の差し込みが浅すぎると、風等の外力を受けたときにアタッチメントが金網から浮いたりして不安定化し易い。逆に、差し込み部の差し込みを深くしようとしすぎると、作業が困難化し労力が大となるばかりでなく、設定した深さにまで差し込み部が至らず、金網とカバー手段との間に大きな隙間が形成されると、その隙間を流亡土砂等が抜けてしまい飛来種子の定着をうまく図れないことになる。
【図面の簡単な説明】
【００１６】
【図１】本発明の一実施の形態に係る生態系配慮型緑化工法により得られる緑化構造物の構成を概略的に示す説明図である。
【図２】前記緑化構造物の構成を概略的に示す縦断面図である。
【図３】（Ａ）及び（Ｂ）は、前記生態系配慮型緑化工法に用いるアタッチメントの構成を概略的に示す正面図及び上面図である。
【図４】前記アタッチメントの構成を概略的に示す側面図である。
【図５】前記アタッチメントの構成を概略的に示す背面図である。
【図６】前記アタッチメントの構成を概略的に示す底面図である。
【図７】（Ａ）は前記アタッチメントの金網部材の加工前の構成を概略的に示す正面図、（Ｂ）は該金網部材の加工後の構成を概略的に示す背面図である。
【図８】（Ａ）及び（Ｂ）は、前記アタッチメントのカバー手段の構成を概略的に示す正面図及び側面図である。
【図９】（Ａ）〜（Ｃ）は、前記アタッチメントの変形例の構成を概略的に示す正面図、上面図及び側面図である。
【図１０】（Ａ）及び（Ｂ）は、前記アタッチメントの他の変形例の構成を概略的に示す正面図及び上面図である。
【発明を実施するための形態】
【００１７】
本発明の実施の形態について図面を参照しながら以下に説明する。
【００１８】
本実施の形態に係る生態系配慮型緑化工法（以下、緑化工法と略称する）は、図１及び図２に示すように、法面Ｎを覆う金網（本例ではラス金網）１の上に、飛来種子捕捉用のアタッチメント２を設置した後、金網１の上側から植生基盤材３を吹付けて緑化構造物を構築するものである。ここで、図１の右側には植生基盤材３の吹付け前の状態、左側には吹付け後の状態をそれぞれ示してある。尚、金網１は、例えば図外のアンカーピンにより法面Ｎに固定（敷設）されている。
【００１９】
アタッチメント２は、図７（Ｂ）に示す金網部材４の内側（前側）に、図８（Ａ）及び（Ｂ）に示すカバー手段５を備えたものであり、略左右対称である構造を有する。
【００２０】
詳述すると、金網部材４は、図７（Ｂ）に示すように、複数の線材６からなり、下向きに突出する差し込み部７を櫛の歯状に有する。金網部材４はまた、図７（Ａ）に示す平らな金網体８の左右を例えばベンダー機を用いた曲げ加工により折り曲げて得られるものであり、平面視略コの字状（図３（Ｂ）及び図６参照）を呈する。尚、図７（Ｂ）において、２本の破線Ｂは金網部材４の折り曲げ箇所を示し、金網部材４において二つの折り曲げ箇所Ｂで挟まれた部位は略平らな本体部４ａ、二つの折り曲げ箇所Ｂのそれぞれ左右外側の部位は前向き（斜め前向き）に延びるウイング部４ｂとなっている。そして、各ウイング部４ｂの下端には、差し込み部７の下端よりも上方に位置し金網１に対して山側から係止可能なフック部９を設けてある。
【００２１】
ここで、本体部４ａの左右幅は８００ｍｍ、左右のウイング部４ｂの左右幅はそれぞれ１１５ｍｍ、各線材６の直径は２．６ｍｍ、縦に延びる線材６の横方向の間隔は８６ｍｍ（左右両端のみ８５ｍｍ）、横に延びる線材６の上下方向の間隔は３５ｍｍ（横に延びる線材６は４本）、差し込み部７の下端から、横方向に延びる線材６のうち最下方にある最下線材６Ａ（図３（Ａ）参照）の下端までの高さは３０ｍｍとしてある。
【００２２】
カバー手段５は、金網部材４における差し込み部７よりも上方の部分を全面にわたって金網部材４の内側（前側）から覆うものであり、全体として土粒子を通さず、保水性、透水性を有するものである。本例のカバー手段５は、次に述べるシート状体１０及び肥料袋１１を備えた肥料帯として構成されている。
【００２３】
シート状体１０は、図８（Ａ）及び（Ｂ）に示すように横長の矩形シート状を呈するものであり、例えば、レーヨン等の化学繊維の不織布、生分解性の素材（椰子繊維等）の不織布等からなり、透水性及び保水性を有するように厚手に構成され、図外のＣリングによって金網部材４に固定される。尚、本例のシート状体１０の上下幅は１０８ｍｍである。
【００２４】
肥料袋１１は、図８（Ａ）及び（Ｂ）に示すように横長の薄袋状を呈するものであり、例えば化学繊維の不織布からなり、内部に図外の緑化資材（例えば、肥料、保水材、土壌改良材など）を収容する。本例では、上下二つの収容部１１ａを持つ帯状の肥料袋１１をシート状体１０の下部に配置し、ステープル打設あるいは接着によりシート状体１０に一体化してある。また、本例の肥料袋１１において二つの収容部１１ａの間は超音波溶着（接合の一例）されており、このように、肥料袋１１は、一本の筒状肥料袋の中央部を長手方向に向かって接合（超音波溶着や接着等）することによって形成される帯のように薄い形状を呈する部材である。尚、本例の各肥料袋１１の上下幅は２５ｍｍ（合わせて５０ｍｍ）である。
【００２５】
斯かるカバー手段５を金網部材４に取り付けると図３〜図６に示すアタッチメント２が得られるのであり、本例では、図３（Ａ）と図８（Ａ）とを対比し、特に肥料袋１１の位置を目安にすれば容易に理解できるように、シート状体１０は、金網部材４における差し込み部７よりも上方の部分全面を覆う（図５参照）。また、シート状体１０は金網部材４の前側に位置し、このシート状体１０の前側に肥料袋１１が保持される。
【００２６】
植生基盤材３は、例えばバーク堆肥、ピートモス、表土シードバンク等を含むものであり、本例では表土シードバンク（埋土種子入り表土）を３％含むようにしてある。尚、植生基盤材３に例えば木材チップを配合して資源循環型の緑化を行うようにしてもよい。
【００２７】
次に、本実施形態の緑化工法の施工手順について説明する。
【００２８】
まず、アンカーピン等を用いて法面Ｎ上に金網１を敷設した後、この金網１上にアタッチメント２を設置する（図１，図２参照）。この設置に際しては、図１に示すようにアタッチメント２を金網１上に千鳥状に配置しつつ、各アタッチメント２の金網部材４の本体部４ａが等高線にほぼ沿い、二つのウイング部４ｂ（の先端）が山側を向くようにする。そして、フック部９を金網１に係止することにより各アタッチメント２を金網１に連結し、この連結と同時またはその前後に法面Ｎに差し込み部７を差し込む。このようなフック部９を金網１に引っ掛けるだけの連結により、金網部材４（アタッチメント２）は金網１に対して略垂直に立設する（金網１上で起立する）ことになり、法面Ｎに対する差し込み部７の差し込みにより、金網部材４は法面Ｎ及び金網１にしっかりと固定された状態となる。
【００２９】
その後、法面Ｎ上に３〜５ｃｍ程度の植生基盤材３の層ができるように、アタッチメント２が設置された金網１の上側から植生基盤材３の吹付けを行う。この吹付けは、例えばエアロシーダ（商品名）等の吹付け機を用いて行える。ここで、本例では、金網部材４（アタッチメント２）の上部（上５ｃｍ位の領域）は形成される吹付け面の上側に突き出し、肥料袋１１は植生基盤材３で丁度埋まる位の位置（高さ）にあるようにしてある。
【００３０】
以上で本実施形態の緑化工法は完了し、法面Ｎ上に緑化構造物が構築された状態となる。
【００３１】
本緑化工法では、二つのフック部９のみを金網１に係止させ、法面Ｎに対する差し込み部７の差し込みを行う、という極簡単な作業によって、アタッチメント２を金網１にしっかりと固定することができる。特に本実施形態では、フック部９による金網１への係止が全ての差し込み部７よりも山側で行われ、かつ、各差し込み部７は法面Ｎに対して略垂直に差し込まれるので、アタッチメント２が植生基盤材３や施工後に流れてくる流亡土砂等を受け止めたときに受ける力の一部は差し込み部７を法面Ｎの土壌中に留める方向あるいは法面Ｎへ差し込む方向には働くものの、差し込み部７を法面Ｎから引き抜く方向には働かず、故に、金網１に対するアタッチメント２の連結状態は非常に強固に保持されることになる。実際に本緑化工法を試行したところ、植生基盤材３の吹付けのためのホースがアタッチメント２に当たったりしてもアタッチメント２が倒れたりするようなことは一切起こらなかった。尚、必要に応じてアタッチメント２の下部を結束線等の適宜な手段によって金網１と結束し、金網１とアタッチメント２の連結状態をより強固にすることも勿論可能である。
【００３２】
しかも、差し込み部７が法面Ｎに対して差し込まれ過ぎること、すなわちアタッチメント２の沈み込みは、金網部材４の横方向に延びる線材６のうち最下方にある最下線材６Ａ（図３（Ａ）参照）が金網１に当接することにより防止される。
【００３３】
本緑化工法ではまた、櫛の歯状の差し込み部７の少なくとも一部が金網１に当接支持されるようにすることにより、アタッチメント２が植生基盤材３や施工後に流れてくる流亡土砂等をある程度受け止めた状態となってもその重量によりアタッチメント２の一部分が谷側に撓んで曲がるのをより強力に防止することができ、斯かる効果は、金網１に当接支持される差し込み部７の数（箇所）が増えるほど大となる。
【００３４】
仮にアタッチメント２を金網部材４のみで構成するとその網目を飛来種子（風散布種子や鳥散布種子等）や土粒子（流亡土砂）が抜けてしまうが、本緑化工法では、この金網部材４をその内側からカバー手段５により全面的に覆うので、飛来種子や土粒子をアタッチメント２の山側に確実に留めさせる（捕捉する）ことができる。従って、アタッチメント２の山側に形成された小段で飛来種子を積極的に利用しての現地植生の復元を図ることができ、捕捉効率が良いので、それだけ多種多様の植生による早期の緑化達成を期待でき、緑化スピードのみならず緑化の確実性の点でも向上を図れる。
【００３５】
そして、このような効果をより確実に奏するために、本緑化工法では、法面Ｎ中への差し込み部７の差し込み長さが１〜５ｃｍとなるように、差し込み部７においてフック部９の下端よりも下方に位置する先端部７ａ（図４参照）の長さ（フック部９の下端を基準とする下方への突出長さ）を１〜５ｃｍとしてある。すなわち、実際には、法面Ｎに凹凸があったり金網１が法面Ｎから浮いたりすることがあり、差し込み部７（先端部７ａ）が短すぎると、例えば金網１が法面Ｎから浮いていた場合に差し込み部７が法面Ｎに届かなかったり法面Ｎに届いても十分な深さにまでは到達しなかったりし、その結果、アタッチメント２が金網１から浮く等して不安定化し易い。逆に、差し込み部７（先端部７ａ）が長すぎると、金網１とカバー手段５との間に大きな隙間が形成され易くなり、この場合、その隙間を流亡土砂等が抜けてしまい飛来種子の定着をうまく図れない。そこで、これを避けるために差し込み部７の差し込みを法面Ｎの地中深くにまで行おうとすると、作業が困難化し労力が大となる。
【００３６】
アタッチメント２のシート状体１０は透水性及び保水性を有するので、適度な水分は保持しつつも余剰水が貯まって植物の根が腐ってしまうようなことはなく、これに加えて肥料袋１１から肥料分が供給されるので、各アタッチメント２の山側には捕捉した飛来種子の生育に好適な環境が整えられることになる。ここで、肥料袋１１が太すぎると飛来種子から伸長する根の邪魔をすることが懸念されるので、肥料袋１１を薄くする（帯状とする）ことが好適であり、具体的には肥料を収容した状態の肥料袋１１の厚みＴ（図８（Ｂ）参照）を１ｃｍ以下とするのが望ましい。尚、各アタッチメント２が有する肥料袋１１からの肥料分の一部が、そのアタッチメント２の山側に供給されずに流下した場合でも、その下（谷）側のアタッチメント２に受け止められ、そこで生育する植物に供給されるので、各肥料袋１１の肥料分はその殆どが無駄にならずに有効利用されることになる。従って、それだけ肥料袋１１に保持させる肥料の量を低減して肥料袋１１の薄型化を図ることが可能である。
【００３７】
本緑化工法では、植生基盤材３に含まれる表土シードバンク（埋土種子）による施工直後からの緑化と、飛来種子を待ち受ける待ち受け型緑化との両面から、現地生態系を乱すことのない植物を生育させることができる。また、埋土種子のみを用いる従来の緑化工法では、吹付ける植生基盤材に表土シードバンクを少なくとも１０％程度配合するのが一般的であるが、本例では飛来種子をも利用するのでその配合を３％程度に抑えることができ、採取に多大な労力を必要とする表土シードバンクの使用量の低減はコストダウンにも直結する。
【００３８】
本緑化工法ではまた、カバー手段５のシート状体１０及び肥料袋１１をともに不織布で形成し、これらで金網部材４において法面Ｎ上に露出する部分（差し込み部７よりも上方の部分）の全面を覆うので、植生基盤材３を吹付けたときに不織布の全面に植生基盤材３が付着し、施工後には法面Ｎの色に近い植生基盤材３の色で緑化構造物の全体が染まることになり、景観的にも自然に調和させることができる。
【００３９】
なお、本発明は、上記の実施の形態に何ら限定されず、本発明の要旨を逸脱しない範囲において種々に変形して実施し得ることは勿論である。例えば、以下のような変形例を挙げることができる。
【００４０】
上記実施の形態では、アタッチメント２の左右幅Ｗ（図３（Ｂ）参照）は９２１ｍｍであるのに対して、同じ行を構成し左右に隣り合うアタッチメント２間の距離Ｈ（図１参照）は２０００ｍｍとしてあり、同じ列を構成し上下に隣り合うアタッチメント２間の距離Ｖ（図１参照）も２０００ｍｍである。しかし、このようなアタッチメント２の左右幅Ｗや隣り合うアタッチメント２間の距離Ｈ，Ｖ等は適宜変更可能であり、アタッチメント２の配置の仕方も千鳥状に限らず、種々の配置が可能である。
【００４１】
左右のウイング部４ｂの遊端側を拡がり勝手（開き角度α（図３（Ｂ）参照）を少なくとも９０度超とする。図示例では開き角度αが１２０度）に形成すれば、複数の金網部材４あるいはアタッチメント２をコンパクトに重ねて運搬、保管等することが可能となるが、これに限らない。尚、開き角度αは、アタッチメント２の立設に支障を来さない範囲とすればよい。
【００４２】
上記実施形態では、フック部９を左右のウイング部４ｂに一つずつ設けてあるが、これに限らず、左右のウイング部４ｂに複数設けてあったり、金網部材４の本体部４ａに設けてあったりしてもよい。図９（Ａ）〜（Ｃ）に示す金網部材４（アタッチメント２）の変形例では、左右のウイング部４ｂにフック部９を一つずつ形成し、本体部４ａの中央部に二つのフック部９を形成している。
【００４３】
ここで、上記実施形態において、法面Ｎに敷設された金網１の上に起立した金網部材４が仮にフック部９を有していなければ、金網部材４に掛かる重力等の外力の一部が差し込み部７を法面Ｎから引き抜く力に変換され、その力が一定以上の大きさとなった場合に、差し込み部７は基本的に山側にあるものから順次引き抜かれるようにして金網部材４が転倒すると考えられる。従って、斯かる金網部材４の転倒を防止する観点からは、フック部９が金網１に係止する位置を、なるべく山側に位置させたり、全ての差し込み部７のうち最も山側に位置する差し込み部７のなるべく近くに位置させたりするのが好ましいが、アタッチメント２を設置したときに、フック部９の一以上が、少なくとも何れか一の差し込み部７よりも山側の位置で金網１に係止していれば、金網部材４は谷側に転倒し難くなるという効果が得られる。
【００４４】
また、図９に示す変形例では、金網部材４の左右のウイング部４ｂに形成されたフック部９は、本体部４ａの中央部に形成された二つのフック部９よりも山側の位置で金網１に係止することになる。この例のように、フック部９の二以上を、少なくとも法面Ｎの傾斜方向に互いに離隔した位置において金網１に係止させれば、金網部材４の起立状態がより安定性良く維持されることになる。さらに、この場合、各フック部９が金網１に対して山側から係止するようにしてもよいが、山側に位置するフック部９が金網１に山側から係止し、谷側に位置するフック部９が金網１に谷側から係止するようにしてもよく、逆に、山側に位置するフック部９が金網１に谷側から係止し、谷側に位置するフック部９が金網１に山側から係止するようにしてもよい。
【００４５】
尚、図９に示す例では、アタッチメント２の左右幅Ｗ（図９（Ａ）参照）は９１９．３ｍｍ、本体部４ａの左右幅は８００ｍｍ、左右のウイング部４ｂの左右幅はそれぞれ１１３．６５ｍｍ、開き角度α（図９（Ｂ）参照）は１２０度、各線材６の直径は２．３ｍｍである。また、縦に延びる線材６の横方向の間隔は２５ｍｍ、横に延びる線材６の上下方向の間隔は２０ｍｍ（横に延びる線材６は６本）、差し込み部７の下端から、横方向に延びる線材６のうち最下方にある最下線材６Ａ（図９（Ａ）参照）の下端までの高さは３０ｍｍとしてある。すなわち、図９に示す例のほうが上記実施形態よりも金網部材４の網目が細かくなっている。
【００４６】
そして、図９に示す例のように、二つのフック部９を金網部材４の中央部に設ける場合、斯かる二つのフック部９の先端（フックの開放端）を向かい合わせ、かつ、二つの先端の間に隙間を設けないようにするか、あるいは隙間の大きさを、金網１を構成する１本の線材の直径と同程度に抑えておくことにより、二つのフック部９の間に金網１を構成する線材を通すだけで自然と金網部材４を金網１に係止することができ、また、金網１からフック部９が不意に外れてしまう危険性をほぼ無くすことができる。
【００４７】
金網部材４は、左右のウイング部４ｂの先端を少なくとも法面Ｎの等高線方向に互いに離隔させ且つ共に山側に向けた状態で金網１上に起立配置可能に構成されていればよく、上記実施形態では金網部材４が略左右対称な構造を有するようにしているが、金網部材４が金網１上に起立した状態において、左右のウイング部４ｂの何れか一方の先端が他方の先端よりも山側に延びるようにするなど、左右非対称な構造となっていてもよい。
【００４８】
また、金網部材４は、上面視（横断面視）略コの字状を呈するものに限らず、例えば上面視（横断面視）略Ｖ字状、Ｗ字状等を呈するように構成されていてもよい。図１０（Ａ）及び（Ｂ）に、上面視（横断面視）略Ｖ字状を呈するアタッチメント２の一例を示す。このアタッチメント２は、例えば、図９に示すアタッチメント２の左右のウイング部４ｂを本体部４ａと真っ直ぐになるように延ばし、かつ、本体部４ａの中央部で二つ折りにして得られるものである。従って、図１０のアタッチメント２は、６０度に開いた左右のウイング部４ｂのみからなり、本体部４ａを有しておらず、また、金網部材４の中央部に二つ、左右両端部にそれぞれ一つずつフック部９を有する。
【００４９】
上記実施形態の金網部材４は、縦に延びる線材６と横に延びる線材６とのみによって構成してあるが、これに限らず、種々の線材６を用いて、あるいは線材６の組み合わせ方を種々異ならせて金網部材４を構成することができる。
【００５０】
金網部材４に対するカバー手段５の取り付け方はＣリングに限らず、他の結束部材等を用いてもよい。
【００５１】
上記実施の形態では、カバー手段５は金網部材４の内側（前側）のみを覆っているが、外側（後側）をも覆うようにしてもよく、例えば、シート状体１０を袋状に構成して金網部材４に被せるようにしてもよい。勿論、カバー手段５が金網部材４の外側（後側）のみを覆うようにしてもよい。また、カバー手段５は、金網部材４において差し込み部７よりも上方の部分のみを覆うものに限らず、例えば、シート状体１０を差し込み部７に被さる程度にまで下方に延ばし、かつ、その下部が袴状となるように下端から上方に向かって延びる複数のスリットを入れることにより、シート状体１０の下部が金網１の目合いを通って金網１の下方にまで到達可能となるようにしてもよい。
【００５２】
シート状体１０が金網部材４において肥料袋１１を避ける位置のみに設けてあってもよく、例えば、シート状体１０は金網部材４の上部のみを覆い、肥料袋１１は金網部材４の下部のみを覆うようにしてあってもよい。尚、肥料袋１１は、金網部材４の下部のみを覆うものに限らないが、植生基盤材３に埋もれる下部のみに設けておく方が無駄がなく緑化にも効果的である。
【００５３】
肥料袋１１の収容部１１ａの数は二つに限らず、一つでも三つ以上でもよい。また、上記実施形態では、肥料袋１１（収容部１１ａ）の横幅をシート状体１０と一致させているが、シート状体１０よりも小さくしてもよく、この場合、肥料袋１１の収容部１１ａを上下に連ねるのみならず、左右に並べるようにしてもよく、点在させてもよい。
【００５４】
肥料袋１１はまた、上述のようにステープル打設や接着により直接シート状体１０に接合してあってもよいが、これに限らず、例えば、シート状体１０の下部に折り返し部分を設け、この折り返し部分で肥料袋１１を表裏から挟み込み、折り返し部分どうしを超音波溶着により接合することによりシート状体１０と肥料袋１１との一体化を図ってあってもよく、シート状体１０の下部を折り返し、その折り返した部分自体によって肥料袋１１を形成するようにしてあってもよい。また、上記各接合のために用いる接合方法としては、超音波溶着、ヒートシール、ステープル打設、接着等種々の手段を採用可能である。
【００５５】
また、シート状体１０または肥料袋１１の何れか一方のみを設け、他方を兼用するようにしてもよい。
【００５６】
【００５７】
アタッチメント２の設置後に、アタッチメント２の山側に形成される保護エリア（主に上面視においてアタッチメント２の内側に位置するエリア）内に苗木を植栽し、より早期の緑化を図るようにしてもよい。この場合、植栽した苗木が肥料袋１１内の養分を吸収できるようにすれば、一層確実な緑化が期待できる。
【００５８】
なお、上記変形例どうしを適宜組み合わせてもよいことはいうまでもない。
【符号の説明】
【００５９】
１    金網
２    アタッチメント
３    植生基盤材
４    金網部材
４ａ  本体部
４ｂ  ウイング部
５    カバー手段
６    線材
７    差し込み部
９    フック部
１０    シート状体
１１    肥料袋
Ｎ    法面
【図１】
0005590743.tif 000002
【図２】
0005590743.tif 000003
【図３】
0005590743.tif 000004
【図４】
0005590743.tif 000005
【図５】
0005590743.tif 000006
【図６】
0005590743.tif 000007
【図７】
0005590743.tif 000008
【図８】
0005590743.tif 000009
【図９】
0005590743.tif 000010
【図１０】
0005590743.tif 000011